(57)【要約】【課題】  サムネイル一覧画面上での選択から、再生画像の表示までの時間を短縮する。【解決手段】  カーソル移動判定装置３２は、サムネイル一覧画面上での操作装置３０の操作から、希望のクリップを示すカーソルの移動を判定する。アドレス通知装置３４は、カーソルの示すクリップの、光ディスク１２上のアドレスをドライブ制御装置２８に通知する。ドライブ制御装置２８は、カーソルの静止に対して、カーソルが重なるクリップのアドレスに、使用者の再生指示に先行して、光ピックアップ１４を移動させる。使用者の再生指示に応じて、ドライブ制御装置２８は、光ピックアップ１４に指示されたクリップの記録データを再生させる。復号化装置２０は、光ピックアップからの再生データを復号化し、再生映像信号を表示装置１８に供給する。【選択図】  図１
2008269718.tif 000002
【特許請求の範囲】
【請求項１】
光ディスクを回転駆動するスピンドルモータと、
前記光ディスクの記録データを読む出す光ピックアップと、
使用者が操作する操作手段と、
前記操作手段の操作から、使用者がサムネイル一覧画面においてサムネイルを選択するカーソルが移動中かどうかを判定するカーソル移動判定手段と、
前記光ピックアップ及び前記スピンドルモータを制御するドライブ制御手段と、
前記光ピックアップにより前記光ディスクから読み出された映像情報を復号化する復号化手段と、
復号化された再生映像を表示する表示手段と、
前記光ディスクに記録された各クリップのサムネイル一覧画面を生成するサムネイル画面作成手段
とを有し、
前記ドライブ制御手段は、前記サムネイル一覧画面上で使用者の操作によるカーソル移動に応じて、前記光ピックアップを前記カーソルの示す前記光ディスクの記録位置に移動させることを特徴とする再生装置。
【請求項２】
前記ドライブ制御手段は、前記カーソル移動判定手段の判定結果がカーソル静止を示す場合に、前記サムネイル一覧画面上で使用者の操作によるカーソル移動に応じて、前記光ピックアップを前記カーソルの示す前記光ディスクの記録位置に移動させることを特徴とする請求項１に記載の再生装置。
【請求項３】
前記ドライブ制御手段は、前記カーソル移動判定手段がカーソルの移動中であると判断した場合は、前記光ピックアップを移動させないことを特徴とする請求項２に記載の再生装置。
【請求項４】
前記カーソル移動判定手段は、前記カーソルが一定時間に異なる位置に移動した場合に、前記カーソルの移動中と判定することを特徴とする請求項３に記載の再生装置。
【請求項５】
前記ドライブ制御手段は、多層記録された光ディスクに対して、クリップの再生位置に前記光ピックアップの位置を合わせる際に、記録層の移動が必要な場合、記録層を移動してからを前記光ピックアップの位置を合わせることを特徴とする請求項２に記載の再生装置。
【請求項６】
前記ドライブ制御手段は、前記操作手段より再生の指示がない場合は、前記サムネイル一覧画面上で前記カーソルと重なったサムネイルが示すクリップの記録データを前記光ディスクから読み出さないことを特徴とする請求項１に記載の再生装置。
【請求項７】
前記ドライブ制御手段は、前記操作手段より再生の指示がない場合は、前記光ピックアップの位置を合わせるのみで、光ピックアップからレーザ光を照射させないことを特徴とする請求項６に記載の再生装置。
【請求項８】
前記ドライブ制御手段は、前記操作手段より一定時間、再生の指示がない場合は、前記スピンドルモータの回転を停止することを特徴とする請求項７に記載の再生装置。
【請求項９】
ディスク媒体からデータを読み出すピックアップと、
前記ディスク媒体に記録された複数の画像クリップを示す情報を表示装置に表示する表示手段と、
前記表示装置に表示された情報を用いて前記複数の画像クリップの中から任意の画像クリップを選択する選択手段と、
前記選択手段により選択された画像クリップの再生を指示する指示手段と、
前記選択手段による選択動作に応じて前記ディスク媒体上の前記選択された画像クリップの記録位置に対して前記ピックアップを移動させると共に、前記指示手段による再生指示に応じて前記ピックアップによる前記選択された画像クリップのデータの読み出しを開始させる制御手段
とを備えることを特徴とする再生装置。
【請求項１０】
前記表示手段は前記複数の画像クリップの代表画像と前記代表画像のうち選択された代表画像を示すカーソルとを前記表示装置に表示し、前記選択手段は前記表示装置に表示されたカーソルの表示位置を移動させる操作部を有し、前記制御手段は、前記操作部の指示により前記カーソルの表示位置が移動する度に前記ディスク媒体上の前記選択されたクリップの記録位置に対して前記ピックアップを移動させることを特徴とする請求項９記載の再生装置。
【請求項１１】
前記制御手段は、前記選択された画像クリップの記録位置に対してピックアップを移動させた後、前記指示手段による再生指示が成されるまで前記ピックアップによる前記選択された画像クリップのデータの読み取りを禁止することを特徴とする請求項９または１０記載の再生装置。
【発明の詳細な説明】
【技術分野】
【０００１】
本発明は再生装置に関し、特に静止画又は動画などの映像情報をディスク媒体から再生する再生装置に関する。
【背景技術】
【０００２】
従来、ＤＶＤ（digital Versatile Disk）などのディスク媒体を記録媒体として映像（と音声）を記録再生するビデオカメラが知られている。
【０００３】
この様なビデオカメラでは、ディスクに記録された映像を再生する再生モードでは、各クリップの代表画像（サムネイル画像）の一覧画面が先ず、表示される。使用者は、これらのサムネイル画像のうち、再生したいクリップのサムネイル画像を選択することで、該当するクリップの映像の再生を指示する。
【０００４】
予め各クリップの代表画像とその位置情報をディスク媒体からメモリに読み込んでおくことで、サムネイル画像の一覧画面を迅速に表示できるようにした構成が、例えば特許文献１に記載されている。
【特許文献１】特開２００１−２６６４５２号公報
【発明の開示】
【発明が解決しようとする課題】
【０００５】
サムネイルの一覧表示画面上で再生したいクリップが指定されると、そのクリップのディスク上の記録位置にピックアップを移動し、当該クリップを再生する。
【０００６】
ＤＶＤドライブなどでは、ピックアップは、通常、記録再生動作中以外では、ホームポジションと呼ばれる決まった位置に静止している。再生指示があると、ホームポジションから目的のトラックまでピックアップを移動する必要がある。
【０００７】
ビデオカメラなどの携帯機器では、リソースや騒音などの問題で、強力なモータを利用できない場合があり、その場合、ピックアップを迅速に移動できない。再生指示があってから画像が表示されるまでに時間がかかってしまう。
【０００８】
本発明は、このような不都合を解消する再生装置を提示することを目的とする。
【課題を解決するための手段】
【０００９】
本発明に係る再生装置は、光ディスクを回転駆動するスピンドルモータと、前記光ディスクの記録データを読む出す光ピックアップと、使用者が操作する操作手段と、前記操作手段の操作から、使用者がサムネイル一覧画面においてサムネイルを選択するカーソルが移動中かどうかを判定するカーソル移動判定手段と、前記光ピックアップ及び前記スピンドルモータを制御するドライブ制御手段と、前記光ピックアップにより前記光ディスクから読み出された映像情報を復号化する復号化手段と、復号化された再生映像を表示する表示手段と、前記光ディスクに記録された各クリップのサムネイル一覧画面を生成するサムネイル画面作成手段とを有し、前記ドライブ制御手段は、前記サムネイル一覧画面上で使用者の操作によるカーソル移動に応じて、前記光ピックアップを前記カーソルの示す前記光ディスクの記録位置に移動させることを特徴とする。
【００１０】
本発明に係る再生装置は、ディスク媒体からデータを読み出すピックアップと、前記ディスク媒体に記録された複数の画像クリップを示す情報を表示装置に表示する表示手段と、前記表示装置に表示された情報を用いて前記複数の画像クリップの中から任意の画像クリップを選択する選択手段と、前記選択手段により選択された画像クリップの再生を指示する指示手段と、前記選択手段による選択動作に応じて前記ディスク媒体上の前記選択された画像クリップの記録位置に対して前記ピックアップを移動させると共に、前記指示手段による再生指示に応じて前記ピックアップによる前記選択された画像クリップのデータの読み出しを開始させる制御手段とを備えることを特徴とする。
【発明の効果】
【００１１】
本発明の再生装置によれば、消費電力をほとんど増やさずに、再生操作から表示までの遅延を少なくすることができ、使用者にとって好適な再生装置を提供することができる。
【発明を実施するための最良の形態】
【００１２】
以下、図面を参照して、本発明の実施例を詳細に説明する。
【実施例１】
【００１３】
図１は、本発明の一実施例の概略構成ブロック図を示す。図１に示す実施例では、音声の再生系を省略してある。
【００１４】
スピンドルモータ１０がディスク状記録媒体である光ディスク１２を回転駆動する。光ピックアップ１４は、光ディスク１２に記録されるデータを読み出す。
【００１５】
サムネイル画面を作成するときには、光ピックアップ１４は、光ディスク１２に記録される各クリップのサムネイル画像を読み出してサムネイル画面作成装置１６に供給する。サムネイル画面作成装置１６は、一定数のサムネイルから一覧表示画面を生成して、表示装置１８に供給する。これにより、一定数のサムネイルが表示装置１８の画面上で一覧表示される。
【００１６】
また、使用者に指示されたクリップを再生表示する際には、光ピックアップ１４は、指示されたクリップの映像情報を光ディスク１２から読み出し、復号化装置２０に供給する。復号化装置２０は、光ピックアップ１４からの再生データ（圧縮映像データ）を復号化（伸長）し、再生映像データを表示装置１８に供給する。これにより、指定の映像が表示装置１８の画面上に再生表示される。
【００１７】
回転制御装置２２は、スピンドルモータ１０の回転を制御する。光ピックアップ制御装置２４は、光ピックアップ１４のレーザ出力の有無、フォーカシング、及びトラッキングを制御する。位置制御装置２６は、光ピックアップ１４を光ディスク１２の指定の半径位置に制御する。回転制御装置２２，光ピックアップ制御装置２４及び位置制御装置２６は、ドライブ制御装置２８を構成する。
【００１８】
操作装置３０は使用者が操作するポインティングデバイス、十字キー等の選択手段と、選択の決定を指示する決定キーからなり、再生すべきクリップの選択と決定、及び再生操作に使用される。カーソル移動判定装置３２は、詳細は後述するが、操作装置３０の使用者操作によるカーソルの移動と現在位置を判定する。
【００１９】
ピックアップ１４により再生されたディスク１２の管理情報がアドレス通知装置３４に出力される。管理情報には、ディスク１２に記録されている各クリップのファイル名とディスク１２において各ファイルの先頭のデータが記録されているアドレスの情報が含まれている。また、サムネイル画面作成装置１６はピックアップ１４から出力されたディスク１２の管理情報に基づいて、現在表示装置１８に表示しているサムネイル画面に対応するクリップのファイル名の情報をアドレス通知装置３４に送る。アドレス通知装置３４は、これらの情報とカーソル移動判定装置３２の判定結果に従い、サムネイル画面上で選択されたクリップのアドレス（光ディスク１２上の位置）を検出し、ドライブ制御装置２８に通知する。
【００２０】
ドライブ制御装置２８の制御動作を詳細に説明する。操作装置３０からの再生指示に応じて、回転制御装置２２は、スピンドルモータ１０により光ディスク１２を安定的に回転させる。光ディスク１２の回転に伴い、光ディスク１２の面振れや半径方向への変位によるトラック振れが生じる。
【００２１】
光ピックアップ制御装置２４は、光ピックアップ１４のレーザーダイオードを発光させた後、光ピックアップ１４の出力レーザ光を光ディスク１２の記録面に合焦させ、目的のトラックに追従させる。例えば、フォーカスアクチュエータ（図示せず）を駆動して対物レンズを所定移動範囲内で移動させ、対物レンズ移動中に検出されるフォーカスエラー信号が最小になるように、対物レンズの位置を制御する。これにより、光ディスク１２の面振れに追従して、光ピックアップ１４の出力レーザ光を光ディスク１２の記録面に常に焦点を結ばせる。また、光ディスク１２上のセクタのアドレスを順次読み込み、再生したいセクタの存在するトラックまで光ピックアップ１４を移動する。多層記録の光ディスクを用いた場合で、再生したいセクタが、現在、フォーカシングした層と異なる層にある場合は、再生したいセクタを含む層にフォーカシングすることは当然である。
【００２２】
希望のトラック近傍まで光ピックアップ１４が到達した後、光ピックアップ１４のトラッキング機能を使用してトラックジャンプ動作を行い、希望のトラック上に光スポットを移動させるシーク処理を実行する。そして、再生したい希望のセクタにアクセスして記録データを再生する。
【００２３】
カーソル移動判定装置３２は、サムネイル一覧画面において使用者がサムネイルを選択するカーソルが移動中か静止しているかを所定時間毎に判定し、判定結果（移動中／静止）をドライブ制御装置２８に通知する。カーソル移動判定装置３２の判定処理は、後述する。
【００２４】
ドライブ制御装置２８は、使用者の再生操作を受け付ける前に、カーソル移動判定装置３２の判定結果がカーソル静止を示す場合で、記録層の移動があるときには記録層を移動する。また、記録層の移動がないときには、ドライブ制御装置２８は、アドレス通知装置３４から通知されたディスク１２のアドレスに対し、光ピックアップ１４を移動させる。ドライブ制御装置２８は、使用者からの再生の指示を受けると、再生処理に必要な残りの処理を実行する。
【００２５】
図２は、カーソル移動判定装置３２のカーソル移動判定処理のフローチャートである。カーソル移動判定装置３２は、一定時間おきに、操作装置３０の出力から、現在、カーソルが重なっているサムネイルの位置を取得する。前回取得したカーソル位置と今回取得したカーソル位置を比較することで、カーソル移動の有無を判定する（Ｓ１）。カーソル位置が変化していれば、カーソル移動中をドライブ制御装置２８に通知する（Ｓ２）。カーソルが同じ位置ある場合には、移動無しと判断して、カーソル静止をドライブ制御装置２８に通知する（Ｓ３）。ステップＳ４で、カーソル位置を更新する。
【００２６】
図３は、本実施例の再生処理のフローチャートである。図３を参照して、サムネイル一覧画面上の操作から、特定のクリップを再生するまでの再生処理を説明する。
【００２７】
カーソル移動判定装置３２からの判定結果が、カーソル移動を示す場合（Ｓ１１）、新たにカーソルの合ったサムネイルに対応するクリップが記録されているアドレスに対して、光ディスク１２の記録層の移動が必要かどうかを判断する（Ｓ１２）。
【００２８】
記録層の移動が必要であれば（Ｓ１２）、再度、フォーカシング処理を行い、光ピックアップ１４の対物レンズの焦点を目的の記録層に合わせる（Ｓ１３）。新たな記録上でトラッキング処理を行う（Ｓ１４）。記録層の移動が不要であれば（Ｓ１２）、ステップＳ１３，Ｓ１５を迂回する。
【００２９】
アドレス通知装置３４からのアドレス情報に基づいて、光ピックアップ制御装置２４により光ピックアップ１４を希望トラックの近傍まで移動させる（Ｓ１５）。
【００３０】
使用者による再生の指示があるまで、ステップＳ１１〜Ｓ１５を繰り返す。なお、カーソル移動がなければ（Ｓ１１）、ステップＳ１２〜１５は迂回される。
【００３１】
シーク処理を行い（Ｓ１７）、希望のクリップの記録されたトラック上に光スポットを移動させる。光ピックアップ１４は、使用者の指定したクリップの記録データを光ディスク１２から読み出し、復号化装置２０に供給する（Ｓ１８）。復号化装置２０は、読み出されたクリップの圧縮映像データを復号化し、再生映像データを表示装置１８に供給する（Ｓ１９）。これにより、指定されたクリップの再生映像が、表示装置１８に表示される。
【００３２】
図４は、本実施例の再生処理を示す模式図である。図４を参照して、サムネイル一覧画面上の操作とドライブ制御装置２８の制御を説明する。
【００３３】
サムネイル一覧画面４０に、各クリップの代表画像であるサムネイルが一覧表示されている。操作装置３０により画面上のカーソルを移動させ、再生したいクリップのサムネイルとカーソルを重ねてから再生の指示を出す（又は決定ボタンを押下する）と、カーソルと重なったクリップが再生される。光ディスク１２に各クリップＡ，Ｂ，Ｃ，・・・が記録されており、再生の指示が無くても、カーソルの移動に伴って光ピックアップ（光ＰＵ）１４をカーソルと重なったクリップの記録位置まで移動させる。
【００３４】
このように、使用者がサムネイル一覧画面上で再生したいクリップにカーソルを合わせた段階で、光ピックアップがそのクリップが記録されている位置まで移動するので、使用者が再生の指示を入力すると直ぐに、そのクリップを再生表示できる。即ち、使用者の再生指示に対して、トラッキング動作が不要であり、シーク動作のみとなる。使用者に快適な操作感を提供できる。
【００３５】
本実施例では、操作装置３０より再生の指示がない場合は、サムネイル一覧画面上でカーソルと重なったサムネイルが示すクリップの記録映像を光ディスク１２から読み出さないようにしてもよい。また、操作装置３０より再生の指示がない場合は、光ピックアップ１４の位置を合わせるのみで、光ピックアップからレーザ光を照射させないようにしてもよい。操作装置より一定時間、再生の指示がない場合は、スピンドルモータ１０の回転を停止する。
【００３６】
また、本実施例では、図４の如きサムネイル画面を表示し、このサムネイル画面に表示されたサムネイル画像の中からカーソルを移動させることにより所望のクリップのサムネイルを選択した。
【００３７】
しかし、サムネイル画像を選択する為の指標であれば、カーソル以外の表示を用いてサムネイルを選択することも可能である。
【００３８】
また、サムネイル画面ではなく、クリップの内容を示す情報のリストを表示し、このリストの中から所望のクリップを選択する構成としてもよい。
【００３９】
この場合にも、同様に、選択されているクリップが変更する度に、その選択されたクリップの記録アドレスの情報を検出し、ディスク上の対応する位置にピックアップを移動すればよい。
【００４０】
また、本発明は、複数の機器（例えばホストコンピュータ、カメラ、インターフェース機器、液晶パネルなど）から構成されるシステムに適用しても、一つの機器からなる装置に適用してもよい。
【図面の簡単な説明】
【００４１】
【図１】本発明の一実施例の概略構成ブロック図である。
【図２】カーソル移動判定装置３２の判定処理のフローチャートである。
【図３】本実施例の再生処理のフローチャートである。
【図４】本実施例の再生処理を示す模式図である。
【符号の説明】
【００４２】
１０：スピンドルモータ
１２：光ディスク
１４：光ピックアップ
１６：サムネイル画面作成装置
１８：表示装置
２０：復号化装置
２２：回転制御装置
２４：光ピックアップ制御装置
２６：位置制御装置
２８：ドライブ制御装置
３０：操作装置
３２：カーソル移動判定装置
３４：アドレス通知装置
【図１】
2008269718.tif 000003
【図２】
2008269718.tif 000004
【図３】
2008269718.tif 000005
【図４】
2008269718.tif 000006